(57)【要約】【課題】  第三者による不正使用を防止すると共に、装置の大型化及び高価格化を招かない非接触ＩＣカードを搭載した移動体を提供する。【解決手段】  本発明の携帯電話機１は、起動可能状態で外部からの無線通信による起動要求があったときに起動する非接触ＩＣカード１１と、上記携帯電話機１本体を操作する操作部１２から予め設定された特定キーが操作されたときに、上記非接触ＩＣカード１１を起動可能状態に設定するカード起動処理部１５とを備えているので、特定キーが操作されない限り非接触ＩＣカード１１の機能を使用できないようにすることが可能となる。【選択図】  図１
2006086738.tif 000002
【特許請求の範囲】
【請求項１】
起動可能状態で外部からの無線通信による起動要求があったときに起動する非接触媒体を備えた移動体において、
上記移動体本体を操作する操作キーのうち、予め設定された特定キーが操作されたときに、上記非接触媒体を起動可能状態に設定する起動処理部とを備えていることを特徴とする移動体。
【請求項２】
上記起動処理部は、予め設定された複数の特定キーを同時に操作したときに、非接触媒体を起動可能状態に設定すること特徴とする請求項１に記載の移動体。
【請求項３】
上記起動処理部は、予め設定された特定キーが操作されたときに、一定期間、非接触媒体を起動可能状態に設定することを特徴とする請求項１に記載の移動体。
【請求項４】
上記起動処理部は、予め設定された特定キー以外のキーが操作されたときに、非接触媒体の機能を停止させることを特徴とする請求項１に記載の移動体。
【請求項５】
上記起動処理部は、予め設定された特定キー以外のキーが操作されたときに、ユーザに報知することを特徴とする請求項１に記載の移動体。
【請求項６】
上記特定キーを設定する特定キー設定部が設けられていることを特徴とする請求項１〜５の何れか１項に記載の移動体。
【請求項７】
起動可能状態で外部からの無線通信による起動要求に基づいて、移動体搭載の非接触媒体を起動させる非接触媒体の起動方法であって、
上記移動体を操作するための操作キーのなかから予め設定された特定キーが操作されたときに、上記非接触媒体を起動可能状態に設定する手順を含んでいることを特徴とする非接触媒体の起動方法。
【請求項８】
起動可能状態で外部からの無線通信による起動要求に基づいて、移動体搭載の非接触媒体を起動させる非接触媒体の起動プログラムであって、
上記移動体を操作するための操作キーのなかから予め設定された特定キーが操作されたときに、上記非接触媒体を起動可能状態に設定する手順をコンピュータに実行させる起動プログラム。
【請求項９】
請求項８に記載の起動プログラムを記録したコンピュータ読取可能な記録媒体。
【発明の詳細な説明】
【技術分野】
【０００１】
本発明は、起動可能状態で外部からの無線通信による起動要求があったときに起動する非接触媒体（非接触ＩＣカード）を備えた移動体に関するものである。
【背景技術】
【０００２】
近年、クレジットカードに代表される個人認証の必要なカードに通信機能を持たせたＩＣチップを搭載したカード（非接触ＩＣカード）が普及している。
【０００３】
この非接触ＩＣカードには、個人を認証するのに必要な機能だけでなく、電子マネー機能を付与したものもある。
【０００４】
このような多機能の非接触ＩＣカードに対して、不正利用できないように種々の対策が講じられている。
【０００５】
例えば、特許文献１及び２には、ユーザが操作するスイッチのＯＮ／ＯＦＦによって非接触ＩＣカードを動作可能状態あるいは動作不可能状態にすることで、非接触ＩＣカードが不正に利用できないようにする技術が開示されている。
【０００６】
また、特許文献３及び４には、生体認証機能を付与することで、非接触ＩＣカードが不正に利用できないようにする技術が開示されている。
【０００７】
さらに、近年、上記のような非接触ＩＣカードを搭載した携帯電話が提案されている（特許文献５等）。
【特許文献１】特開平１１−８５９２４（１９９９年３月３０日公開）
【特許文献２】特開２００１−７６１０８（２００１年３月２３日公開）
【特許文献３】特開２０００−９４８７３（２０００年４月４日公開）
【特許文献４】特開２００３−２０８５９２（２００３年７月２５日公開）
【特許文献５】特開２００２−２１８０３１（２００２年８月２日公開）
【発明の開示】
【発明が解決しようとする課題】
【０００８】
ところが、上記の特許文献１及び２に開示されているように、スイッチのＯＮ／ＯＦＦだけでは、非接触ＩＣカードが盗難にあった場合、第三者がスイッチを操作すれば非接触ＩＣカードの読み書きを容易に行うことができるので、不正使用を容易にする。
【０００９】
また、上記の特許文献３及び４に開示されているように、生体認証用の装置を別途設ける必要があり、非接触ＩＣカードが大型化し、さらに高価な装置となる。特に、特許文献５に開示されているような携帯電話では、非接触ＩＣカードの大型化や高価格化は、携帯電話機自体の大型化や高価格化を招くので、問題である。
【００１０】
本発明は、上記の各問題点に鑑みなされたものであって、その目的は、第三者による不正使用を防止すると共に、装置の大型化及び高価格化を招かない非接触ＩＣカードを搭載した移動体を提供することにある。
【課題を解決するための手段】
【００１１】
本発明に係る移動体は、上記課題を解決するために、起動可能状態で外部からの無線通信による起動要求があったときに起動する非接触媒体を備えた移動体において、上記移動体本体を操作する操作キーのうち、予め設定された特定キーが操作されたときに、上記非接触媒体を起動可能状態に設定する起動処理部とを備えていることを特徴としている。
【００１２】
上記の構成によれば、移動体本体を操作する操作キーのうち、予め設定されたキーが操作されたときに、非接触媒体を起動可能状態に設定することで、予め設定したキーが操作されなければ、非接触媒体を起動可能状態にできない。つまり、予め設定したキーが操作されなければ、非接触媒体が起動しないので、該非接触媒体に搭載され機能を使用することができない。
【００１３】
従って、予め設定したキーが操作されないか、あるいは予め設定したキー以外のキーが操作された場合には、非接触媒体が起動可能状態とならないので、外部から起動要求があっても非接触媒体は起動しない。
【００１４】
これにより、設定したキーを第三者に知られない限り、例えば、紛失したり、盗難にあったりした場合に、非接触媒体の機能を不正使用されることはない。
【００１５】
しかも、非接触媒体を起動可能にするためのキーは、装置本体を操作する複数のキーのなかから設定されているので、新たにキーを設ける必要がなく、この結果、そうちの大型化及び高価格化を招かない。
【００１６】
また、上記起動処理部は、予め設定された複数の特定キーを同時に操作したときに、非接触媒体を起動可能状態に設定するようにしてもよい。
【００１７】
この場合、特定キーを複数にした場合、特定キーが一つの場合よりも第三者に知られる可能性が低くなり、セキュリティ機能を高めることができる。
【００１８】
らに、上記起動処理部は、予め設定した特定キーが操作されたときに、一定期間、非接触媒体を起動可能状態に設定するようにしてもよい。
【００１９】
この場合、非接触媒体は、一定期間、起動可能状態であるので、外部から起動要求があれば起動できるが、一定期間を過ぎた場合、起動可能状態でないので、外部から起動要求があっても起動することができない。
【００２０】
また、上記起動処理部は、予め設定した特定キー以外のキーが操作されたときには、（１）非接触媒体の機能を停止させるようにしてもよいし、（２）ユーザに報知するようにしてもよい。
【００２１】
この場合、移動体に備えられた表示装置にエラー表示を行うようにしてもよいし、移動体に備えられたスピーカにアラームを鳴動させるようにしてもよい。
【００２２】
また、上記特定キーを設定する特定キー設定部が設けてもよい。
【００２３】
この場合、移動体のユーザ自身が操作キーのなかから特定キーを任意に設定することが可能となる。これにより、第三者に特定キーがどれであるのかを把握し難くできるので、セキュリティの向上を図ることができる。
【発明の効果】
【００２４】
本発明に係る移動体は、以上のように、移動体本体を操作する操作キーのうち、予め設定された特定キーが操作されたときに、上記非接触媒体を起動可能状態に設定する起動処理部とを備えていることで、設定された特定キーを第三者に知られない限り、例えば、紛失したり、盗難にあったりした場合に、非接触媒体の機能を不正使用されることはない。
【発明を実施するための最良の形態】
【００２５】
本発明の実施の形態について説明すれば以下の通りである。なお、本実施の形態では、本発明の移動体として、ＦｅｌｉＣａ（登録商標）カードに代表される非接触ＩＣカードを搭載した携帯電話機について説明する。
【００２６】
図３（ａ）（ｂ）は、本発明の一実施形態に係る携帯電話機１の外観を示している。上記携帯電話機１は、本体２に開閉自在な蓋体３を備えたいわゆるクラムシェル型であり、同図（ａ）は蓋体３が閉じた状態（クラムシェル閉状態）を示し、同図（ｂ）は蓋体３が開いた状態（クラムシェル開状態）を示している。
【００２７】
上記本体２には、図３（ｂ）に示すように、前面側にメイン操作ボタン群４ａが設けられている。メイン操作ボタン群４ａは、携帯電話機１における各種設定や機能切替を行うための機能ボタン群と、数字や文字などの記号を入力するための入力ボタン群とから構成されている。具体的には、機能ボタン群は、携帯電話の電源のＯＮ／ＯＦＦを切替る電源ボタン、撮影モードを起動させるカメラボタン、メールモードを起動させるメールボタン、選択対象を上下左右方向に移動させるための十字ボタン、該十字ボタンの中央に配置されており種々の選択を決定する決定ボタンなどを含んでいる。また、入力ボタン群は、テンキーである。さらに、本体２の側面には、蓋体３を閉じた状態で操作可能なサイドキー４ｂが設けられている。このサイドキー４ｂは、後述する非接触ＩＣカードを動作可能状態にするための特定キーとしての機能を有する。上記のメイン操作ボタン群４ａとサイドキー４ｂとで操作部１２を構成している。
【００２８】
なお、上記操作部１２は、上記の本体２側に設けられたメイン操作ボタン群４ａとサイドキー４ｂに限定されるものではなく、蓋体３に設けられた操作キーも含む。
【００２９】
上記蓋体３には、図３（ｂ）に示すように、ユーザに対して視覚的あるいは聴覚的に情報を知らせる報知部１６を構成する液晶表示パネル５、スピーカ６が設けられると共に、その内部には、図３（ａ）に示すように、非接触ＩＣカード１１が搭載されている。この非接触ＩＣカード１１は、起動可能状態で外部からの無線通信による起動要求があったときに起動するようになっている。具体的には、
図２に示すように、リード／ライタ装置からの無線通信による起動要求に基づいて、情報の読出し及び書き込みが行われる。
【００３０】
また、携帯電話機１には、蓋体３が開状態あるいは閉状態の何れかであるかを検知するためのセンサ（図示せず）が設けられている。
【００３１】
次に、携帯電話機１の詳細な構成について図１および図２に基づいて説明する。
【００３２】
図１は、携帯電話機１の概略構成を示している。携帯電話機１は、非接触ＩＣカード１１、操作部１２、キー設定処理部１３、キー設定情報記憶部１４、カード起動処理部１５、報知部１６を備え、さらに、各部による処理のプログラムを格納したＲＯＭ１７、プログラムを処理するための作業領域となるＲＡＭ１８、及び上記の各部を制御する制御手段としてのＣＰＵ１９を含んだ構成となっている。なお、図１では、携帯電話機１に当然備えられている部材、例えば無線通信部等は省略している。
【００３３】
上記非接触ＩＣカード１１は、例えば図２に示すように、ＩＣチップで構成された個人情報記憶部２１と無線通信処理部２２及びアンテナ２３とで構成されている。本実施の形態では、非接触ＩＣカード１１として上述した通りＦｅｌｉＣａカードを用いる。
【００３４】
上記個人情報記憶部２１へのアクセスは、通常、リーダ／ライタ装置から放出されている電磁波によって行われる。つまり、リーダ／ライタ装置からの電磁波を、アンテナ２３を介して無線通信処理部２２が受け、この無線通信処理部２２によって処理された信号に基づいて、個人情報記憶部２１の内容が読み出されたり、書き加えられたりする。
【００３５】
上記個人情報記憶部２１に記憶される情報としては、個人を認証するのに必要な情報や電子マネー等がある。
【００３６】
上記非接触ＩＣカード１１とリーダ／ライタ装置との間の通信は、例えば、１３．５６ＭＨｚの周波数帯を利用し、２１２ｋｂｐｓの速度で行われるものとする。
【００３７】
上記操作部１２は、上述したように、携帯電話機１の各種機能を実現するためにユーザが操作するための、メイン操作ボタン群４ａやサイドキー４ｂ（図３（ａ）（ｂ））である。この操作部１２を構成する操作キーの何れかを特定キーとして設定し、この特定キーを操作することで非接触ＩＣカード１１を起動可能状態にするようになっている。
【００３８】
上記キー設定処理部１３は、上記非接触ＩＣカード１１を起動可能状態にするための特定キーを、操作部１２のボタンやキーから設定するための処理部である。つまり、このキー設定処理部１３において設定された特定キーを操作（押下）することで、上記非接触ＩＣカード１１を起動可能状態にすることが可能となる。
【００３９】
なお、本実施の形態では、図３（ａ）（ｂ）に示すように、クラムシェル型の携帯電話機１を採用しているので、クラムシェル開時の特定キーの設定と、クラムシェル閉時の特定キーの設定とを別々に行う。このキー設定処理の詳細については後述する。
【００４０】
上記キー設定情報記憶部１４は、上記キー設定処理部１３で設定された特定のキー情報を記録する記憶手段である。記憶される情報は、例えば、図４（ａ）に示すようなデータ構造の情報である。ここでは、クラムシェル開時のデータとクラムシェル閉時のデータの両方をユーザデータとしてキー設定情報記憶部１４に記憶するようになっている。なお、図４（ｂ）は、ＲＡＭ１８の作業領域内に読み出された作業中（キー設定処理中あるいは起動処理中）の作業データのデータ構造を示している。
【００４１】
上記カード起動処理部１５は、上記キー設定処理部１３で設定された特定キーが操作された場合の非接触ＩＣカード１１の起動処理を行う処理部である。このカード起動処理の詳細については後述する。
【００４２】
上記報知部１６は、上記キー設定処理部１３で設定した特定キー以外のキーを操作した場合にユーザにエラーを報知するための手段であり、例えば、エラーダイアログを液晶表示パネル５に表示させてユーザに視覚的にエラーを報知したり、アラーム音をスピーカ６から発するようにしてユーザに聴覚的にエラーを報知したりする。
【００４３】
ここで、上記構成の携帯電話機１における各種処理について以下に説明する。
【００４４】
始めに、特定キーの設定処理の流れについて、図５に示すフローチャートを参照しながら以下に説明するが、その前に、図４（ａ）（ｂ）を参照しながら特定キーの設定処理によって得られるユーザデータのデータ構造、設定処理作業中の作業データのデータ構造について説明する。
【００４５】
図４（ａ）は、上述したキー設定情報記憶部１４に記憶される特定キー情報を示すユーザデータのデータ構造であり、クラムシェル開時のデータとして、設定キー１（Ｄ１１）、設定キー２（Ｄ１２）、設定キー３（Ｄ１３）、設定キー個数（Ｄ１４）の４つのデータが設定され、クラムシェル閉時のデータとして、設定キー１（Ｄ１５）、設定キー２（Ｄ１６）、設定キー３（Ｄ１７）、設定キー個数（Ｄ１８）の４つのデータが設定されるものとする。この図では、設定可能なキーの最大数を３としている。
【００４６】
例えば、クラムシェル開時において、特定キーを２つ設定すれば、それぞれ設定したキー情報がＤ１１とＤ１２に格納され、設定したキーの個数である２個を示す情報がＤ１４に格納される。また、クラムシェル閉時において、特定キーを１つ設定すれば、設定したキー情報がＤ１５に格納され、設定したキーの個数である１個を示す情報がＤ１８に格納される。この場合、Ｄ１３、Ｄ１６、Ｄ１７には、情報としては何も格納されない。
【００４７】
図４（ａ）に示されるユーザデータは、図４（ｂ）に示す作業データの一部がコピーされたものである。
【００４８】
すなわち、図４（ｂ）において、設定キー１（Ｄ２１）、設定キー２（Ｄ２２）、設定キー３（Ｄ２３）、カウンタｉ（Ｄ２４）に格納された情報が、ユーザデータとしてコピーされる。
【００４９】
また、作業データには、図４（ｂ）に示すように、非接触ＩＣカード使用可否フラグ（可／否）（Ｄ２５）、作業時刻（Ｄ２６）が存在し、それぞれ後述する起動処理時に使用される。
【００５０】
なお、ユーザデータは、キー設定情報記憶部１４に格納され、携帯電話機１の電源がＯＦＦされても消えないようになっている。一方、作業データは、ＲＡＭ１８の作業領域に読み出されるものであるので、携帯電話機１がＯＦＦされた場合消える。
【００５１】
続いて、キー設定処理の流れについて図５に示すフローチャートを参照しながら以下に説明する。以下の説明では、クラムシェル開時において特定キーを設定する場合を想定している。
【００５２】
まず、ＲＡＭ１８の作業領域において、作業データのカウンタｉ＝０にし（ステップＳ１）、下記のステップＳ２〜Ｓ７の処理ループを実行する。
【００５３】
ステップＳ２において、設定完了キーが押されたか否かが判断される。この設定完了キーは、上述した操作部１２のメイン操作ボタン群４ａのなかに存在している。ここで、設定完了キーが押された場合には、ステップＳ８に移行し、設定完了キーが押されなければ、ステップＳ３に移行し、キャンセルキーが押されたか否かが判断される。このキャンセルキーも、設定完了キーと同様に、メイン操作ボタン群４ａのなかに存在している。
【００５４】
ステップＳ３において、キャンセルキーが押されたと判断されれば、キー設定はキャンセルされたものとみなして処理を終了する。一方、キャンセルキーが押されなければ、ステップＳ４に移行し、カウンタｉが３未満であるか否かが判断される。
【００５５】
ステップＳ４において、カウンタｉが３未満でない、すなわち３以上であると判断されれば、この処理ループを終了する。一方、カウンタｉが３未満であると判断されれば、キー検出を行う（ステップＳ５）。
【００５６】
ステップＳ５において、ユーザが操作部１２のなかから選択したキー（これを特定キーとする）が押下された否かによってキー検出を行う。ここで、キー検出がなければ、処理ループを終了する。一方、キー検出があれば、ステップＳ６に移行し、カウンタｉをアップする。
【００５７】
そして、検出したキー番号を１番目の作業データＤ２１に登録する（ステップＳ７）。
【００５８】
続いて、ステップＳ２に移行し、上述した処理と同様の処理が行われ、ステップＳ２〜ステップＳ７までの処理のループから抜け出すまで同様の処理が繰り返される。
【００５９】
そして、上記の処理のループが終了すれば、カウンタｉが０であるか否かが判断される（ステップＳ８）。ここで、カウンタｉが０であれば、キー設定処理を終了する。
【００６０】
また、ステップＳ８で、カウンタｉが０以外であれば、ｉをユーザデータの設定キー個数Ｄ１４に設定する（ステップＳ９）。ここで、カウンタｉが１であれば、設定されたキーが一つであるので、Ｄ１４には、１が設定される。なお、クラムシェル閉時の場合には、カウンタｉがユーザデータの設定キー個数Ｄ１８に設定される。
【００６１】
そして、最後に、作業データ（Ｄ２１／Ｄ２２／Ｄ２３）をクラムシェル開時のユーザデータ（Ｄ１１／Ｄ１２／Ｄ１３）にコピーして（ステップＳ１０）、処理を終了する。
【００６２】
上記のキー設定処理は、クラムシェル開時について示したが、クラムシェル閉時についてもほぼ同じ処理で実現できる。なお、クラムシェル閉時では、上述したように、ステップＳ９の処理がクラムシェル開時と異なるだけである。
【００６３】
次に、非接触ＩＣカード１１の起動可否判定のためのチェック処理を以下の３パターンに分けて説明する。ここで、非接触ＩＣカード１１は、起動可能状態で、外部のリーダ／ライタ装置から無線通信によって起動要求が行われたときに、起動されるものとする。この起動可能状態とは、作業データのユーザデータの非接触ＩＣカード使用可否フラグＤ２５に”可”が設定されている状態をいう。
【００６４】
始めに、非接触ＩＣカード１１の起動要求を受信後に、該非接触ＩＣカード１１の起動可否判定のためのチェック処理を行う場合について、図６に示すフローチャートを参照しながら以下に説明する。
【００６５】
まず、キー比較処理が行われる（ステップＳ２１）。ここでは、ユーザが押下したキーと、ユーザデータに登録済みのキーとの比較を行う。このキー比較処理の詳細は後述する。
【００６６】
次に、キー比較処理の結果に基づいて、押下されたキーと、登録済みのキーとが一致しているか否かを判断する（ステップＳ２２）。ここで、キーが一致していれば、作業データの非接触ＩＣカード使用可否フラグＤ２５を”可”に設定し（ステップＳ２３）、起動処理を行う。
【００６７】
一方、ステップＳ２２において、キーが一致していなければ、作業データの非接触ＩＣカード使用可否フラグＤ２５を”否”に設定し（ステップＳ２４）、起動処理を行う。
【００６８】
上記の起動処理の詳細は、後述する。
【００６９】
ここまでは、非接触ＩＣカード起動要求受信後に起動可否判定のためのチェック処理を行う場合について説明したが、以下では、図７及び図８に示すフローチャートを参照しながら、非接触ＩＣカード起動要求受信前に起動可否判定を行う場合のチェック処理について説明する。ここで、非接触ＩＣカード起動要求受信前とは、非接触ＩＣカード１１に通信を行うリーダ／ライタ装置からの起動要求の情報を含む電磁波を受け取る前という意味である。
【００７０】
まず、待ち受け状態から、キー比較処理が行われる（ステップＳ３１）。このキー比較処理の詳細については後述する。
【００７１】
次に、キー比較処理の結果に基づいて、押下されたキーと、ユーザデータに登録されたキーとが一致しているか否かが判断される（ステップＳ３２）。ここで、キーが一致していると判断されれば、作業データの非接触ＩＣカード使用可否フラグＤ２５を”可”に設定する（ステップＳ３３）。そして、現在時刻を作業データの作業時刻Ｄ２６に設定し（ステップＳ３４）、処理を終了する。
【００７２】
一方、ステップＳ３２において、キー一致していないと判断されれば、作業データの非接触ＩＣカード使用可否フラグＤ２５を”否”に設定し（ステップＳ３５）、処理を終了する。
【００７３】
以上のように、非接触ＩＣカード起動要求受信前にチェック処理を一旦終了し、非接触ＩＣカード起動要求を待つ。本実施の形態では、この期間を１０秒とする。つまり、ステップＳ３４において現在時刻が設定されてから１０秒間、非接触ＩＣカード使用可否フラグを有効（起動可能状態）にする。
【００７４】
つまり、非接触ＩＣカードの使用可否フラグが”可”の状態で１０秒未満に起動要求があれば、該非接触ＩＣカードは起動し、１０以上経過してから起動要求があれば、非接触ＩＣカードの使用可否フラグが”否”に切り替わっているので、該非接触ＩＣカードは起動しない。この処理について以下に説明する。
【００７５】
続いて、上記のように、非接触ＩＣカード使用可否フラグが設定された状態で、非接触ＩＣカード起動要求を受信した場合の処理について、図８に示すフローチャートを参照しながら以下に説明する。
【００７６】
まず、非接触ＩＣカード使用可否フラグＤ２５の設定を調べる（ステップＳ４１）。ここで、フラグが”否”であれば、続いて起動処理が実行される。
【００７７】
また、ステップＳ４１において、フラグが”可”であれば、現在時刻から作業時刻Ｄ２６を引いた時間が１０秒未満であるか否かが判断される（ステップＳ４２）。
【００７８】
このステップＳ４２において、１０秒未満であると判断されれば、問題無く、起動処理を実行し、１０秒以上であると判断されれば、非接触ＩＣカード使用可否フラグＤ２５を”否”に設定し（ステップＳ４３）、起動処理を実行する。
【００７９】
このように、非接触ＩＣカードの起動要求を、フラグの有効期間として設定した１０秒以上経過してから受信した場合、フラグが無効にされる。つまり、フラグが”可”であっても、”否”に変更される。
【００８０】
続いて、起動処理の説明を行う。その前に、図６に示すステップＳ２１、図７に示すステップＳ３１のキー比較処理の流れについて、図９及び図１０に示すフローチャートを参照しながら以下に説明する。
【００８１】
まず、クラムシェルが開状態であるか否かが判断される（ステップＳ５１）。ここでは、上述したように、携帯電話機１に設けられたセンサ（図示せず）によって、蓋体３の開状態が検知される。つまり、クラムシェルが開状態でないと判断された場合、図１０に示すステップＳ５５に移行し、クラムシェルが閉状態の場合の処理が実行される。
【００８２】
一方、図９に示すステップＳ５１において、クラムシェルが開状態であると判断されれば、キー検出が行われる（ステップＳ５２）。ここでは、特定キーとして設定したキーが押下されたか否かが判断される。つまり、キーが検出されたと判断された場合には、特定キーが押下されているので、ステップＳ５３に移行し、検出したキーの数と、設定したキーの個数を比較し、キー数が一致しているか否かを判断する。
【００８３】
ステップＳ５３において、キー数が一致していると判断されれば、ステップＳ５４に移行し、検出キーと設定キー（Ｄ１１／Ｄ１２／Ｄ１３）とを比較し、キーが一致しているか否かを判断する。ここまでの処理によって、キーが一致していると判断される。
【００８４】
上記のステップＳ５２において、キーが検出されなかった場合、すなわち特定キーが押下されていない場合、キー不一致であると判断される。
【００８５】
また、上記のステップＳ５３において、検出キー数と設定キー個数Ｄ１４とを比較して一致していなければ、キー不一致であると判断される。
【００８６】
さらに、上記のステップＳ５４において、検出キーと設定キー（Ｄ１１／Ｄ１２／Ｄ１３）を比較してキーが一致していなければ、キー不一致であると判断される。
【００８７】
続いて、クラムシェル閉状態のキー比較処理の流れについて、図１０に示すフローチャートを参照しながら以下に説明する。
【００８８】
まず、キー検出が行われる（ステップＳ５５）。ここでは、特定キーとして設定したキーが押下されたか否かが判断される。つまり、キーが検出されたと判断された場合には、特定キーが押下されているので、ステップＳ５６に移行し、検出したキーの数と、設定したキーの個数を比較し、キー数が一致しているか否かを判断する。
【００８９】
ステップＳ５６において、キー数が一致していると判断されれば、ステップＳ５７に移行し、検出キーと設定キー（Ｄ１５／Ｄ１６／Ｄ１７）とを比較し、キーが一致しているか否かを判断する。ここまでの処理によって、キーが一致していると判断される。
【００９０】
上記のステップＳ５５において、キーが検出されなかった場合、すなわち特定キーが押されていない場合、キー不一致であると判断される。
【００９１】
また、上記のステップＳ５６において、検出キー数と設定キー個数Ｄ１８とを比較して一致していなければ、キー不一致であると判断される。
【００９２】
さらに、上記のステップＳ５７において、検出キーと設定キー（Ｄ１５／Ｄ１６／Ｄ１７）を比較してキーが一致していなければ、キー不一致であると判断される。
【００９３】
以上のようにしてキー比較処理を行った結果は、図６のステップＳ２２または図７のステップＳ３２で使用される。
【００９４】
続いて、非接触ＩＣカード１１の起動処理について、以下の３通りの方法で説明する。ここでは、非接触ＩＣカード１１の起動状態を”可”にするための特定キー以外のキーを操作した場合に、（１）エラーダイアログを表示する処理、（２）アラーム音を鳴動させる処理、（３）非接触ＩＣカード動作処理をロックさせる処理の何れかが行われる。
【００９５】
始めに、エラー処理として、上記（１）のエラーダイアログを表示する処理を含んだ起動処理の流れについて、図１１に示すフローチャートを参照しながら以下に説明する。
【００９６】
まず、非接触ＩＣカード使用可否フラグＤ２５を調べる（ステップＳ６１）。ここで、フラグが”可”であれば、問題なく非接触ＩＣカード１１は起動状態となるので、ステップＳ６２に移行して、フラグを”否”に設定し、非接触ＩＣカード動作処理へ移行する（ステップＳ６３）。これにより、非接触ＩＣカード１１の機能が使用可能となる。
【００９７】
一方、ステップＳ６１において、フラグが”否”であれば、エラーダイアログを表示する（ステップＳ６４）。この場合、エラーである旨を携帯電話機１の液晶表示パネル５上に表示させて、ユーザに対して視覚的にエラーを報知する。
【００９８】
続いて、エラー処理として、上記（２）のアラーム音を鳴動させる処理を含んだ起動処理の流れについて、図１２に示すフローチャートを参照しながら以下に説明する。
【００９９】
まず、非接触ＩＣカード使用可否フラグＤ２５を調べる（ステップＳ７１）。ここで、フラグが”可”であれば、問題なく非接触ＩＣカード１１は起動状態となるので、ステップＳ７２に移行して、フラグを”否”に設定し、非接触ＩＣカード動作処理へ移行する（ステップＳ７３）。これにより、非接触ＩＣカード１１の機能が使用可能となる。
【０１００】
一方、ステップＳ７１において、フラグが”否”であれば、アラーム音を鳴動させる（ステップＳ７４）。この場合、エラーである旨を携帯電話機１のスピーカ６からアラーム音を鳴動させて、ユーザに対して聴覚的にエラーを報知する。
【０１０１】
最後に、エラー処理として、上記（３）の非接触ＩＣカード動作処理をロックさせる処理を含んだ起動処理の流れについて、図１３に示すフローチャートを参照しながら以下に説明する。
【０１０２】
まず、非接触ＩＣカード使用可否フラグＤ２５を調べる（ステップＳ８１）。ここで、フラグが”可”であれば、問題なく非接触ＩＣカード１１は起動状態となるので、ステップＳ８２に移行して、フラグを”否”に設定し、非接触ＩＣカード動作処理へ移行する（ステップＳ８３）。
【０１０３】
一方、ステップＳ８１において、フラグが”否”であれば、非接触ＩＣカード１１の動作をロックする（ステップＳ８４）。この場合、ロック解除を、ユーザ操作（パスワード等の認証）により行えるように、事前にパスワードの設定処理を行う。
【０１０４】
上記構成の携帯電話機１によれば、操作部１２を構成する操作キーやボタンから設定した特定キーが操作されたときに、非接触ＩＣカード１１を起動可能状態に設定することで、予め設定した特定キーが操作されなければ、非接触ＩＣカード１１を起動可能状態にできない。つまり、予め設定した特定キーが操作されなければ、非接触ＩＣカード１１非接触媒体が起動しないので、該非接触ＩＣカード１１に搭載され機能（ＦｅｌｉＣａ機能等）を使用することができない。
【０１０５】
従って、予め設定した特定キーが操作されないか、あるいは予め設定した特定キー以外のキーが操作された場合には、非接触ＩＣカード１１が起動可能状態とならないので、外部から起動要求があっても非接触ＩＣカード１１は起動しない。
【０１０６】
これにより、設定した特定キーを第三者に知られない限り、例えば、紛失したり、盗難にあったりした場合に、携帯電話機１に搭載された非接触ＩＣカード１１の機能を不正使用されることはない。
【０１０７】
しかも、非接触ＩＣカード１１を起動可能にするためのキーは、携帯電話機１を操作するために予め備えられた操作キーやボタンのなかから設定されているので、新たにキーを設ける必要がなく、その結果、装置の大型化及び高価格化を招かないという効果も奏する。
【０１０８】
また、上記カード起動処理部１５は、予め設定された複数の特定キーを同時に操作したときに、非接触ＩＣカード１１を起動可能状態に設定することも可能となっているので、特定キーが一つの場合よりも第三者に知られる可能性が低くなり、セキュリティ機能を高めることができる。
【０１０９】
らに、上記カード起動処理部１５は、予め設定した特定キーが操作されたときに、一定期間、非接触ＩＣカード１１を起動可能状態に設定するようになっているので、非接触ＩＣカード１１は、一定期間、起動可能状態となり、外部から起動要求があれば起動できるが、一定期間を過ぎた場合、起動可能状態でないので、外部から起動要求があっても起動することができない。なお、本実施の形態では、一定期間を、非接触ＩＣカード使用可否フラグＤ２５に”可”が設定されてから１０秒としているが、これに限定されるものではない。
【０１１０】
また、上記カード起動処理部１５は、予め設定した特定キー以外のキーが操作されたときには、（１）非接触ＩＣカード１１の機能を停止させたり、（２）ユーザに報知するようにしたりしている。
【０１１１】
（１）の場合、ＣＰＵ１９によって、非接触ＩＣカード１１の機能を停止させることが考えられる。
【０１１２】
また、（２）の場合、携帯電話機１に備えられた液晶表示パネル５にエラー表示を行ったり、携帯電話機１に備えられたスピーカ６を鳴動させたりすることで、既存の装置でユーザに報知することができる。
【０１１３】
また、携帯電話機１では、上記特定キーを設定するキー設定処理部１３が設けられているので、ユーザが自由にカスタマイズすることができる。これにより、第三者に特定キーがどれであるのかを把握し難くできるので、セキュリティの向上を図ることができる。
【０１１４】
本発明は、移動体として携帯電話機１について説明したが、非接触ＩＣカードを搭載できる情報携帯端末、例えばＰＤＡ（Personal Digital Assistants)等に適用できる。
【０１１５】
また、携帯電話機１としては、クラムシェル型について説明したが、これに限定されるものではなく、蓋体のないストレートタイプの携帯電話機や、蓋体が回転するようなタイプの携帯電話機等であってもよい。
【０１１６】
さらに、上記非接触ＩＣカード１１としては、ＦｅｌｉＣａカードを想定して説明したが、他の機能を有するカードであってもよく、起動可能状態で外部からの無線通信による起動要求があったときに起動する非接触媒体であれば特に限定されるものではない。
【０１１７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１８】
なお、上記実施形態の移動体の各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の移動体の各種機能および各種処理を実現することができる。また、上記プログラムをリムーバブルな記録媒体に記録することにより、任意のコンピュータ上で上記の各種機能および各種処理を実現することができる。
【０１１９】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１２０】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１２１】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１２２】
また、インターネットを含む通信ネットワークを接続可能なシステム構成であれば、通信ネットワークからプログラムをダウンロードするように流動的にプログラムを担持する記録媒体であることが好ましい。
【０１２３】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０１２４】
本発明によれば、第三者による非接触媒体機能の不正使用を防止することができるので、移動体として携帯電話機１の他に、例えばＰＤＡ（Personal Digital Assistants)等の非接触ＩＣカードを搭載できる情報携帯端末にも適用できる。
【図面の簡単な説明】
【０１２５】
【図１】本発明の実施形態を示すものであり、非接触ＩＣカード搭載の携帯電話機の要部構成を示すブロック図である。
【図２】非接触ＩＣカードの要部構成を示すブロック図である。
【図３】クラムシェル型の携帯電話機の概観を示すものであって、（ａ）はクラムシェル閉状態を示す図であり、（ｂ）はクラムシェル開状態を示す図である。
【図４】（ａ）はユーザデータのデータ構造図であり、（ｂ）は作業データのデータ構造図である。
【図５】図１に示す携帯電話機における特定キーの設定処理の流れを示すフローチャートである。
【図６】図１に示す携帯電話機における特定キーのチェック処理の流れを示すフローチャートである。
【図７】図１に示す携帯電話機における特定キーの他のチェック処理の流れを示すフローチャートである。
【図８】図７に示すフローチャートの処理後の特定キーのチェック処理の流れを示すフローチャートである。
【図９】図６及び図７に示すキー比較処理の流れを示すものであって、クラムシェル開状態における処理の流れを示すフローチャートである。
【図１０】図６及び図７に示すキー比較処理の流れを示すものであって、クラムシェル閉状態における処理の流れを示すフローチャートである。
【図１１】非接触ＩＣカードの起動処理の流れの一例を示すフローチャートである。
【図１２】非接触ＩＣカードの起動処理の流れの他の例を示すフローチャートである。
【図１３】非接触ＩＣカードの起動処理の流れのさらに他の例を示すフローチャートである。
【符号の説明】
【０１２６】
１    携帯電話機（移動体）
２    本体
３    蓋体
４ａ  メイン操作ボタン群（操作キー）
４ｂ  サイドキー（操作キー）
５    液晶表示パネル（報知部）
１１    非接触ＩＣカード
１２    操作部（操作キー）
１３    キー設定処理部
１４    キー設定情報記憶部
１５    カード起動処理部（起動処理部）
１６    報知部
１７    ＲＯＭ
１８    ＲＡＭ
１９    ＣＰＵ
２１    個人情報記憶部
２２    無線通信処理部
２３    アンテナ
【図１】
2006086738.tif 000003
【図２】
2006086738.tif 000004
【図３】
2006086738.tif 000005
【図４】
2006086738.tif 000006
【図５】
2006086738.tif 000007
【図６】
2006086738.tif 000008
【図７】
2006086738.tif 000009
【図８】
2006086738.tif 000010
【図９】
2006086738.tif 000011
【図１０】
2006086738.tif 000012
【図１１】
2006086738.tif 000013
【図１２】
2006086738.tif 000014
【図１３】
2006086738.tif 000015